【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
チャンネルガイド情報リストを提供する方法であって、該方法は、
チャンネルガイド情報リストを受信することであって、該受信したリストは、少なくとも２つの番組ソースに対応するチャンネルガイド情報を含み、各番組ソースは、複数のテレビチャンネルを伝送するように動作することが可能である、ことと、
番組リストを有するチャンネルガイドを複数のテレビチャンネルに提供することであって、該チャンネルガイドは、該少なくとも２つの番組ソースに対応する該チャンネルガイド情報を含む、ことと、
該リストの少なくとも一部を表示することと
を包含する、方法。
【請求項２】
前記チャンネルガイド情報リストは、単一のデータソースから受信される、請求項１に記載の方法。
【請求項３】
前記少なくとも２つの番組ソースの第１の番組ソースに対応するチャンネルガイド情報リストは、該第１の番組ソースから受信され、
該少なくとも２つの番組ソースの第２の番組ソースに対応するチャンネルガイド情報リストは、該第２の番組ソースから受信される、請求項１に記載の方法。
【請求項４】
前記チャンネルガイド情報をマージして、前記少なくとも２つのソースに対応するチャンネルガイド情報を含むチャンネルガイドを形成することをさらに包含する、請求項１に記載の方法。
【請求項５】
前記少なくとも２つのソースから受信したチャンネルガイド情報を混合して所望の順序にソートすることと、
所望の順序で提示されたチャンネルガイド情報を有する画面を生成することと
をさらに包含する、請求項１に記載の方法。
【請求項６】
前記提供することは、重複したリストを前記チャンネルガイドから自動的に削除することをさらに包含する、請求項１に記載の方法。
【請求項７】
各番組リストに信号ソース識別子を提供することをさらに包含し、各識別子は、前記少なくとも２つのソースのうちの１つの伝送スキームを識別する、請求項１に記載の方法。
【請求項８】
表示されたリストからの番組選択をユーザから受信することと、
該番組選択のソースに対応する信号ソース識別子を取り出すことと、
該取り出されたソース識別子に対応するソースからのテレビ信号にユーザ機器装置の入力を結びつけることと
をさらに包含する、請求項１に記載の方法。
【請求項９】
前記ソースは、ケーブル、放送ソース、アンテナソース、地上ソース、衛星ソース、および直接放送衛星ソースからなるグループから選択される、請求項１に記載の方法。
【請求項１０】
表示されたリストのソースを識別することをさらに包含する、請求項１に記載の方法。
【請求項１１】
前記ソースを識別することは、前記少なくとも２つのソースのうちの第１に関連するリストに対応する第１の色におけるソース識別子と、該少なくとも２つのソースのうちの第２に関連するリストに対応する第２の色におけるソース識別子とを含む、請求項１０に記載の方法。
【請求項１２】
前記少なくとも２つの番組ソースのうちの第１に対応するリストの少なくとも一部を表示することと、
ユーザ入力に応答して、該少なくとも２つのソースのうちの第２に対応するリストの少なくとも一部を表示することと
をさらに包含する、請求項１に記載の方法。
【請求項１３】
前記ソースの伝送スキームは地上である、請求項１に記載の方法。
【請求項１４】
前記ソースの伝送スキームは衛星である、請求項１に記載の方法。
【請求項１５】
チャンネルガイド情報リストを提供するのに用いるシステムであって、該システムは、
チャンネルガイド情報リストを受信する手段であって、該受信したリストは、少なくとも２つの番組ソースに対応するチャンネルガイド情報を含み、各番組ソースは、複数のテレビチャンネルを伝送するように動作することが可能である、手段と、
番組リストを有するチャンネルガイドを複数のテレビチャンネルに提供する手段であって、該チャンネルガイドは、該少なくとも２つの番組ソースに対応する該チャンネルガイド情報を含む、手段と、
該リストの少なくとも一部を表示する手段と
を備える、システム。
【請求項１６】
前記チャンネルガイド情報リストは、単一のデータソースから受信される、請求項１５に記載のシステム。
【請求項１７】
前記少なくとも２つの番組ソースの第１の番組ソースに対応するチャンネルガイド情報リストは、該第１の番組ソースから受信され、
該少なくとも２つの番組ソースの第２の番組ソースに対応するチャンネルガイド情報リストは、該第２の番組ソースから受信される、請求項１５に記載のシステム。
【請求項１８】
前記チャンネルガイド情報をマージして、前記少なくとも２つのソースに対応するチャンネルガイド情報を含むチャンネルガイドを形成する手段をさらに備える、請求項１５に記載のシステム。
【請求項１９】
前記少なくとも２つのソースから受信したチャンネルガイド情報を混合して所望の順序にソートする手段と、
所望の順序で提示されたチャンネルガイド情報を有する画面を生成する手段と
をさらに備える、請求項１５に記載のシステム。
【請求項２０】
前記提供する手段は、重複したリストを前記チャンネルガイドから自動的に削除する手段をさらに備える、請求項１５に記載のシステム。
【請求項２１】
各番組リストに信号ソース識別子を提供する手段をさらに備え、各識別子は、前記少なくとも２つのソースのうちの１つの伝送スキームを識別する、請求項１５に記載のシステム。
【請求項２２】
表示されたリストからの番組選択をユーザから受信する手段と、
該番組選択のソースに対応する信号ソース識別子を取り出す手段と、
該取り出されたソース識別子に対応するソースからのテレビ信号にユーザ機器装置の入力を結びつける手段と
をさらに備える、請求項１５に記載のシステム。
【請求項２３】
前記ソースは、ケーブル、放送ソース、アンテナソース、地上ソース、衛星ソース、および直接放送衛星ソースからなるグループから選択される、請求項１５に記載のシステム。
【請求項２４】
表示されたリストのソースを識別する手段をさらに備える、請求項１５に記載のシステム。
【請求項２５】
前記ソースを識別する手段は、前記少なくとも２つのソースのうちの第１に関連するリストに対応する第１の色におけるソース識別子と、該少なくとも２つのソースのうちの第２に関連するリストに対応する第２の色におけるソース識別子とを含む、請求項２４に記載のシステム。
【請求項２６】
前記少なくとも２つの番組ソースのうちの第１に対応するリストの少なくとも一部を表示する手段と、
ユーザ入力に応答して、該少なくとも２つのソースのうちの第２に対応するリストの少なくとも一部を表示する手段と
をさらに備える、請求項１５に記載のシステム。
【請求項２７】
前記ソースの伝送スキームは地上である、請求項１５に記載のシステム。
【請求項２８】
前記ソースの伝送スキームは衛星である、請求項１５に記載のシステム。
【請求項２９】
複数のチャンネルガイド情報リストを提供する方法であって、
該方法は、
複数のチャンネルガイド情報リストを受信することであって、該複数のチャンネルガイド情報リストは、少なくとも２つの番組ソースに対応するチャンネルガイド情報と、該番組ソースの伝送方式の識別子とを含み、それぞれの番組ソースは、複数のテレビジョンチャンネルを伝送するように動作可能である、ことと、
該複数のテレビジョンチャンネルに対する複数の番組リストを有するチャンネルガイドを提供することであって、該チャンネルガイドは、該少なくとも２つの番組ソースに対応する該チャンネルガイド情報と、該チャンネルガイドに対応するそれぞれの番組ソースの伝送方式の識別子とを含む、ことと、
該複数のチャンネルガイド情報リストのうちの少なくともいくつかと、該リスト内の情報に対応する該番組ソースの伝送方式の識別子とを表示することと
を包含する、方法。
【請求項３０】
前記複数のチャンネルガイド情報リストは、単一のデータソースから受信される、請求項２９に記載の方法。
【請求項３１】
前記少なくとも２つの番組ソースの第１の番組ソースに対応する前記複数のチャンネルガイド情報リストは、該第１の番組ソースから受信され、
該少なくとも２つの番組ソースの第２の番組ソースに対応する該複数のチャンネルガイド情報リストは、該第２の番組ソースから受信される、請求項２９に記載の方法。
【請求項３２】
前記チャンネルガイド情報をマージすることにより、前記少なくとも２つの番組ソースに対応する該チャンネルガイド情報を含む前記チャンネルガイドを形成することをさらに包含する、請求項２９に記載の方法。
【請求項３３】
前記少なくとも２つの番組ソースから受信された前記チャンネルガイド情報を、所望の順序に混合および分類することと、
該所望の順序で提示された該チャンネルガイド情報を有する表示を生成することと
をさらに包含する、請求項２９に記載の方法。
【請求項３４】
前記提供することは、前記チャンネルガイドから重複したリストを自動的に削除することをさらに包含する、請求項２９に記載の方法。
【請求項３５】
それぞれの番組リストに対する信号ソース識別子を提供することであって、それぞれの信号ソース識別子は、前記少なくとも２つの番組ソースのうちの１つの伝送方式を識別する、ことをさらに包含する、請求項２９に記載の方法。
【請求項３６】
前記表示されたリストからの番組選択をユーザから受信することと、
該番組選択のソースに対応する信号ソース識別子を検索することと、
該検索された信号ソース識別子に対応する、該番組ソースからのテレビジョン信号に、ユーザ機器デバイスの入力に結合することと
をさらに包含する、請求項２９に記載の方法。
【請求項３７】
前記少なくとも２つの番組ソースの伝送方式は、ケーブル、放送伝送方式、アンテナ伝送方式、地上伝送方式、および衛星伝送方式からなるグループから選択される、請求項２９に記載の方法。
【請求項３８】
表示されたリストの番組ソースの伝送方式を識別することをさらに包含する、請求項２９に記載の方法。
【請求項３９】
前記番組ソースの伝送方式を識別することは、
前記少なくとも２つの番組ソースの第１の番組ソースの第１の伝送方式に関連付けられたリストに対応する、第１の色の伝送方式識別子と、
該少なくとも２つの番組ソースの第２の番組ソースの第２の伝送方式に関連付けられたリストに対応する、第２の色の伝送方式識別子と
を含む、請求項３８に記載の方法。
【請求項４０】
前記少なくとも２つの番組ソースの第１の番組ソースに対応する前記複数のチャンネルガイド情報リストのうちの少なくともいくつかを表示することと、
ユーザ入力に応答して、該少なくとも２つの番組ソースの第２の番組ソースに対応する該複数のチャンネルガイド情報リストのうちの少なくともいくつかを表示することと
をさらに包含する、請求項２９に記載の方法。
【請求項４１】
前記番組ソースの伝送方式は、地上伝送方式である、請求項２９に記載の方法。
【請求項４２】
前記番組ソースの伝送方式は、衛星伝送方式である、請求項２９に記載の方法。
【請求項４３】
複数のチャンネルガイド情報リストを提供する際に用いられるシステムであって、
該システムは、
複数のチャンネルガイド情報リストを受信する手段であって、該複数のチャンネルガイド情報リストは、少なくとも２つの番組ソースに対応するチャンネルガイド情報と、該番組ソースの伝送方式の識別子とを含み、それぞれの番組ソースは、複数のテレビジョンチャンネルを伝送するように動作可能である、手段と、
該複数のテレビジョンチャンネルに対する複数の番組リストを有するチャンネルガイドを提供する手段であって、該チャンネルガイドは、該少なくとも２つの番組ソースに対応する該チャンネルガイド情報と、該チャンネルガイドに対応するそれぞれの番組ソースの伝送方式の識別子とを含む、手段と、
該複数のチャンネルガイド情報リストのうちの少なくともいくつかと、該リスト内の情報に対応する該番組ソースの伝送方式の識別子とを表示する手段と
を含む、システム。
【請求項４４】
前記複数のチャンネルガイド情報リストは、単一のデータソースから受信される、請求項４３に記載のシステム。
【請求項４５】
前記少なくとも２つの番組ソースの第１の番組ソースに対応する前記複数のチャンネルガイド情報リストは、該第１の番組ソースから受信され、
該少なくとも２つの番組ソースの第２の番組ソースに対応する該複数のチャンネルガイド情報リストは、該第２の番組ソースから受信される、請求項４３に記載のシステム。
【請求項４６】
前記チャンネルガイド情報をマージすることにより、前記少なくとも２つの番組ソースに対応する該チャンネルガイド情報を含む前記チャンネルガイドを形成する手段をさらに含む、請求項４３に記載のシステム。
【請求項４７】
前記少なくとも２つの番組ソースから受信された前記チャンネルガイド情報を、所望の順序に混合および分類する手段と、
該所望の順序で提示された該チャンネルガイド情報を有する表示を生成する手段と
をさらに含む、請求項４３に記載のシステム。
【請求項４８】
前記提供する手段は、前記チャンネルガイドから重複したリストを自動的に削除する手段をさらに含む、請求項４３に記載のシステム。
【請求項４９】
それぞれの番組リストに対する信号ソース識別子を提供する手段であって、それぞれの信号ソース識別子は、前記少なくとも２つの番組ソースのうちの１つの伝送方式を識別する、手段をさらに含む、請求項４３に記載のシステム。
【請求項５０】
前記表示されたリストからの番組選択をユーザから受信する手段と、
該番組選択のソースに対応する信号ソース識別子を検索する手段と、
該検索された信号ソース識別子に対応する、該番組ソースからのテレビジョン信号に、ユーザ機器デバイスの入力に結合する手段と
をさらに含む、請求項４３に記載のシステム。
【請求項５１】
前記少なくとも２つの番組ソースの伝送方式は、ケーブル、放送伝送方式、アンテナ伝送方式、地上伝送方式、および衛星伝送方式からなるグループから選択される、請求項４３に記載のシステム。
【請求項５２】
表示されたリストの番組ソースの伝送方式を識別する手段をさらに含む、請求項４３に記載のシステム。
【請求項５３】
前記番組ソースの伝送方式を識別する手段は、
前記少なくとも２つの番組ソースの第１の番組ソースの第１の伝送方式に関連付けられたリストに対応する、第１の色の伝送方式識別子と、
該少なくとも２つの番組ソースの第２の番組ソースの第２の伝送方式に関連付けられたリストに対応する、第２の色の伝送方式識別子と
を含む、請求項５２に記載のシステム。
【請求項５４】
前記少なくとも２つの番組ソースの第１の番組ソースに対応する前記複数のチャンネルガイド情報リストのうちの少なくともいくつかを表示する手段と、
ユーザ入力に応答して、該少なくとも２つの番組ソースの第２の番組ソースに対応する該複数のチャンネルガイド情報リストのうちの少なくともいくつかを表示する手段と
をさらに含む、請求項４３に記載のシステム。
【請求項５５】
前記番組ソースの伝送方式は、地上伝送方式である、請求項４３に記載のシステム。
【請求項５６】
前記番組ソースの伝送方式は、衛星伝送方式である、請求項４３に記載のシステム。
【請求項５７】
少なくとも２つのチューナを有するユーザ機器デバイスにおいて、複数のチャンネルガイド情報リストを提供する方法であって、該少なくとも２つのチューナのそれぞれは、異なる伝送方式で動作し、該少なくとも２つのチューナの第１のチューナは、第１の伝送方式を用いて、第１の番組ソースから番組を受信し、該少なくとも２つのチューナの第２のチューナは、第２の伝送方式を用いて、第２の番組ソースから番組を受信し、
該方法は、
該ユーザ機器デバイスの入力において、複数のチャンネルガイド情報リストを受信することであって、該複数のチャンネルガイド情報リストは、少なくとも２つの番組ソースに対応するチャンネルガイド情報を含み、該少なくとも２つの番組ソースのそれぞれは、複数のテレビジョンチャンネルを伝送するように動作可能である、ことと、
該複数のテレビジョンチャンネルに対する複数の番組リストを有するチャンネルガイドを提供することであって、該チャンネルガイドは、該少なくとも２つの番組ソースに対応する該チャンネルガイド情報を含む、ことと、
該第１の伝送方式に対応する該複数のチャンネルガイド情報リストの少なくともいくつかを表示することと、
ユーザ入力に応答して、該第２の伝送方式に対応する該複数のチャンネルガイド情報リストの少なくともいくつかを表示することと
を包含する、方法。
【請求項５８】
前記複数のチャンネルガイド情報リストは、単一のデータソースから受信される、請求項５７に記載の方法。
【請求項５９】
前記少なくとも２つの番組ソースの第１の番組ソースに対応する前記複数のチャンネルガイド情報リストは、該第１の番組ソースから受信され、
該少なくとも２つの番組ソースの第２の番組ソースに対応する該複数のチャンネルガイド情報リストは、該第２の番組ソースから受信される、請求項５７に記載の方法。
【請求項６０】
前記ユーザ入力に応答して、前記少なくとも２つの番組ソースの第２の番組ソースにチューニングすることをさらに包含する、請求項５７に記載の方法。
【請求項６１】
前記チャンネルガイド情報をマージすることにより、前記少なくとも２つの番組ソースに対応する該チャンネルガイド情報を含む前記チャンネルガイドを形成することをさらに包含する、請求項５７に記載の方法。
【請求項６２】
前記少なくとも２つの番組ソースから受信された前記チャンネルガイド情報を、所望の順序に混合および分類することと、
該所望の順序で提示された該チャンネルガイド情報を有する表示を生成することと
をさらに包含する、請求項５７に記載の方法。
【請求項６３】
前記提供することは、前記チャンネルガイドから重複したリストを自動的に削除することをさらに包含する、請求項５７に記載の方法。
【請求項６４】
それぞれの番組リストに対する信号ソース識別子を提供することであって、それぞれのソース識別子は、前記少なくとも２つの番組ソースのうちの１つの伝送方式を識別する、ことをさらに包含する、請求項５７に記載の方法。
【請求項６５】
前記表示されたリストからの番組選択をユーザから受信することと、
該番組選択のソースの伝送方式に対応する信号ソース識別子を検索することと、
該検索された信号ソース識別子に対応する、該番組ソースのチューナからのテレビジョン信号に、前記ユーザ機器デバイスの入力に結合することと
をさらに包含する、請求項５７に記載の方法。
【請求項６６】
前記少なくとも２つの番組ソースの伝送方式は、ケーブル、放送伝送方式、アンテナ伝送方式、地上伝送方式、および衛星伝送方式からなるグループから選択される、請求項５７に記載の方法。
【請求項６７】
表示されたリストの番組ソースの伝送方式を識別することをさらに包含する、請求項５７に記載の方法。
【請求項６８】
前記番組ソースの伝送方式を識別することは、
前記第１の伝送方式に関連付けられたリストに対応する、第１の色の伝送方式識別子と、
前記第２の伝送方式に関連付けられたリストに対応する、第２の色の伝送方式識別子と
を含む、請求項６６に記載の方法。
【請求項６９】
前記異なる伝送方式のうちの１つは、地上伝送方式である、請求項５７に記載の方法。
【請求項７０】
前記異なる伝送方式のうちの１つは、衛星伝送方式である、請求項５７に記載の方法。
【請求項７１】
少なくとも２つのチューナを有するユーザ機器デバイスにおいて、複数のチャンネルガイド情報リストを提供する際に用いられるシステムであって、該少なくとも２つのチューナのそれぞれは、異なる伝送方式で動作し、該少なくとも２つのチューナの第１のチューナは、第１の伝送方式を用いて、第１の番組ソースから番組を受信し、該少なくとも２つのチューナの第２のチューナは、第２の伝送方式を用いて、第２の番組ソースから番組を受信し、
該システムは、
該ユーザ機器デバイスの入力において、複数のチャンネルガイド情報リストを受信する手段であって、該複数のチャンネルガイド情報リストは、少なくとも２つの番組ソースに対応するチャンネルガイド情報を含み、該少なくとも２つの番組ソースのそれぞれは、複数のテレビジョンチャンネルを伝送するように動作可能である、手段と、
該複数のテレビジョンチャンネルに対する複数の番組リストを有するチャンネルガイドを提供する手段であって、該チャンネルガイドは、該少なくとも２つの番組ソースに対応する該チャンネルガイド情報を含む、手段と、
該第１の伝送方式に対応する該複数のチャンネルガイド情報リストの少なくともいくつかを表示する手段と、
ユーザ入力に応答して、該第２の伝送方式に対応する該複数のチャンネルガイド情報リストの少なくともいくつかを表示する手段と
を含む、システム。
【請求項７２】
前記複数のチャンネルガイド情報リストは、単一のデータソースから受信される、請求項７１に記載のシステム。
【請求項７３】
前記少なくとも２つの番組ソースの第１の番組ソースに対応する前記複数のチャンネルガイド情報リストは、該第１の番組ソースから受信され、
該少なくとも２つの番組ソースの第２の番組ソースに対応する該複数のチャンネルガイド情報リストは、該第２の番組ソースから受信される、請求項７１に記載のシステム。
【請求項７４】
前記ユーザ入力に応答して、前記少なくとも２つの番組ソースの第２の番組ソースにチューニングする手段をさらに含む、請求項７１に記載のシステム。
【請求項７５】
前記チャンネルガイド情報をマージすることにより、前記少なくとも２つの番組ソースに対応する該チャンネルガイド情報を含む前記チャンネルガイドを形成する手段をさらに含む、請求項７１に記載のシステム。
【請求項７６】
前記少なくとも２つの番組ソースから受信された前記チャンネルガイド情報を、所望の順序に混合および分類する手段と、
該所望の順序で提示された該チャンネルガイド情報を有する表示を生成する手段と
をさらに含む、請求項７１に記載のシステム。
【請求項７７】
前記提供する手段は、前記チャンネルガイドから重複したリストを自動的に削除する手段をさらに含む、請求項７１に記載のシステム。
【請求項７８】
それぞれの番組リストに対する信号ソース識別子を提供する手段であって、それぞれのソース識別子は、前記少なくとも２つの番組ソースのうちの１つの伝送方式を識別する、手段をさらに含む、請求項７１に記載のシステム。
【請求項７９】
前記表示されたリストからの番組選択をユーザから受信する手段と、
該番組選択のソースの伝送方式に対応する信号ソース識別子を検索する手段と、
該検索された信号ソース識別子に対応する、該番組ソースのチューナからのテレビジョン信号に、前記ユーザ機器デバイスの入力に結合する手段と
をさらに含む、請求項７１に記載のシステム。
【請求項８０】
前記少なくとも２つの番組ソースの伝送方式は、ケーブル、放送伝送方式、アンテナ伝送方式、地上伝送方式、および衛星伝送方式からなるグループから選択される、請求項７１に記載のシステム。
【請求項８１】
表示されたリストの番組ソースの伝送方式を識別する手段をさらに含む、請求項７１に記載のシステム。
【請求項８２】
前記番組ソースの伝送方式を識別する手段は、
前記第１の伝送方式に関連付けられたリストに対応する、第１の色の伝送方式識別子と、
前記第２の伝送方式に関連付けられたリストに対応する、第２の色の伝送方式識別子と
を含む、請求項８１に記載のシステム。
【請求項８３】
前記異なる伝送方式のうちの１つは、地上伝送方式である、請求項７１に記載のシステム。
【請求項８４】
前記異なる伝送方式のうちの１つは、衛星伝送方式である、請求項７１に記載のシステム。
【請求項８５】
テレビジョンシステムに統合チャンネルガイド情報リストを提供する方法であって、
該方法は、
少なくとも２つの情報ソースからの個々のチャンネルガイド情報リストを、マージシステムにより受信するステップと、
それぞれの個々のチャンネルガイド情報リストの少なくとも一部分をマージすることにより、統合チャンネルガイド情報リストを形成するステップと、
該テレビジョンシステムに該統合チャンネルガイド情報リストを提供するステップであって、該テレビジョンシステムに提供された該統合チャンネルガイド情報リストは、少なくとも２つの信号提供ソースに対する複数の番組リストと、それぞれの番組リストに対する信号ソース識別子とを含み、それぞれの信号ソース識別子は、該少なくとも２つの信号提供ソースのうちの１つを識別する、ステップと、
該統合チャンネルガイド情報リストの少なくとも一部分の表示を生成するステップと
を包含する、方法。
【請求項８６】
前記表示は、該表示内のそれぞれの番組リストに対する前記信号ソース識別子の表示を含む、請求項８５に記載の方法。
【請求項８７】
前記表示は、複数の信号ソース識別子の第１の信号ソース識別子であって、第１の色である第１の信号ソース識別子に関連付けられた複数の番組リストと、該複数の信号ソース識別子の第２の信号ソース識別子であって、第２の色である第２の信号ソース識別子に関連付けられた複数の番組リストとを表示することを包含し、第１の信号ソース識別子と該第２の信号ソース識別子とは、異なる信号提供ソースを識別する、請求項８６に記載の方法。
【請求項８８】
前記提供するステップは、少なくとも１つのテレビジョン信号ソースを介して、前記統合チャンネルガイド情報リストを伝送するステップを包含する、請求項８５に記載の方法。
【請求項８９】
前記伝送するステップは、衛星を介して、前記統合チャンネルガイド情報リストを中継するステップを包含する、請求項８８に記載の方法。
【請求項９０】
前記少なくとも１つのテレビジョン信号ソースは、ケーブル、放送ソース、直接放送衛星ソースからなるグループから選択される、請求項８８に記載の方法。
【請求項９１】
前記少なくとも１つのテレビジョン信号ソースは、前記少なくとも２つの信号提供ソースのうちの１つである、請求項８８に記載の方法。
【請求項９２】
前記生成するステップは、テレビジョン表示スクリーン、コンピュータモニタ、およびプリント媒体のうちの１つに前記表示を表示するステップを包含する、請求項８５に記載の方法。
【請求項９３】
前記少なくとも２つの情報ソースは、ケーブル、放送ソース、直接放送衛星ソース、電話回線、およびキーボードからなるグループから選択される、請求項８５に記載の方法。
【請求項９４】
少なくとも２つの情報ソースから個々のチャンネルガイド情報リストを受信する受信機と、
該受信機に結合されたマイクロプロセッサであって、該マイクロプロセッサは、それぞれの個々のチャンネルガイド情報リストの少なくとも一部分を統合チャンネルガイド情報リストにマージする、マイクロプロセッサと、
信号プロバイダであって、該信号プロバイダは、テレビジョンシステムに該統合チャンネルガイド情報リストを提供し、該テレビジョンシステムに提供された該統合チャンネルガイド情報リストは、少なくとも２つの信号提供ソースに対する複数の番組リストと、それぞれの番組リストに対する信号ソース識別子とを含み、それぞれの信号ソース識別子は、該少なくとも２つの信号提供ソースのうちの１つを識別する、信号プロバイダと、
該テレビジョンシステムに結合された表示生成器であって、該統合チャンネルガイド情報リストの少なくとも一部分の表示を生成する、表示生成器と
を備えた、情報統合システム。
【請求項９５】
前記表示は、該表示内のそれぞれの番組リストに対する前記信号ソース識別子の表示を含む、請求項９４に記載の情報統合システム。
【請求項９６】
前記表示は、複数の信号ソース識別子の第１の信号ソース識別子であって、第１の色である第１の信号ソース識別子に関連付けられた複数の番組リストと、該複数の信号ソース識別子の第２の信号ソース識別子であって、第２の色である第２の信号ソース識別子に関連付けられた複数の番組リストとを表示することを包含し、第１の信号ソース識別子と該第２の信号ソース識別子とは、異なる信号提供ソースを識別する、請求項９５に記載の情報統合システム。
【請求項９７】
前記信号プロバイダは、前記マイクロプロセッサに結合されたトランスミッタであって、少なくとも１つのテレビジョン信号ソースを介して前記統合チャンネルガイド情報リストを伝送するトランスミッタを含む、請求項９４に記載の情報統合システム。
【請求項９８】
前記信号プロバイダは、衛星をさらに含み、前記伝送された統合チャンネルガイド情報リストは、該衛星を介して中継される、請求項９７に記載の情報統合システム。
【請求項９９】
前記少なくとも１つのテレビジョン信号ソースは、ケーブル、放送ソース、直接放送衛星システムからなるグループから選択される、請求項９７に記載の情報統合システム。
【請求項１００】
前記少なくとも１つのテレビジョン信号ソースは、前記少なくとも２つの信号提供ソースのうちの１つである、請求項９７に記載の情報統合システム。
【請求項１０１】
前記表示生成器は、テレビジョン表示スクリーン、コンピュータモニタ、およびプリントデバイスからなるグループから選択される、請求項９４に記載の情報統合システム。
【請求項１０２】
前記少なくとも２つの情報ソースは、ケーブル、放送ソース、直接放送衛星システム、電話回線、およびキーボードからなるグループから選択される、請求項９４に記載の情報統合システム。
【請求項１０３】
テレビジョンシステムに統合チャンネルガイド情報リストを提供する方法であって、
該方法は、
少なくとも２つの情報ソースからの個々のチャンネルガイド情報リストを、マージシステムにより受信するステップと、
該個々のチャンネルガイド情報リストをマージすることにより、統合チャンネルガイド情報リストを形成するステップと、
該テレビジョンシステムに該統合チャンネルガイド情報リストを提供するステップであって、該テレビジョンシステムに提供された該統合チャンネルガイド情報リストは、少なくとも２つの信号提供ソースに対する複数の番組リストを含む、ステップと、その後、
該統合チャンネルガイド情報リストの少なくとも一部分の表示を生成するステップと
を包含する、方法。
【請求項１０４】
前記提供するステップは、少なくとも１つのテレビジョン信号ソースを介して、前記統合チャンネルガイド情報リストを伝送するステップを包含する、請求項１０３に記載の方法。
【請求項１０５】
前記伝送するステップは、衛星を介して、前記統合チャンネルガイド情報リストを中継するステップを包含する、請求項１０４に記載の方法。
【請求項１０６】
前記少なくとも１つのテレビジョン信号ソースは、ケーブル、放送ソース、直接放送衛星ソースからなるグループから選択される、請求項１０４に記載の方法。
【請求項１０７】
前記少なくとも１つのテレビジョン信号ソースは、前記少なくとも２つの信号提供ソースのうちの１つである、請求項１０４に記載の方法。
【請求項１０８】
前記個々のチャンネルガイド情報リストは、第１のタイプおよび第２のタイプからなるグループから選択され、該第１のタイプの個々のチャンネルガイド情報リストは、地方の地理的領域に対するチャンネルガイド情報を表し、該第２のタイプの個々のチャンネルガイド情報リストは、国の地理的領域に対するチャンネルガイド情報を表す、請求項１０３に記載の方法。
【請求項１０９】
前記少なくとも２つの情報ソースは、ケーブル、放送ソース、直接放送衛星システム、電話回線、およびキーボードからなるグループから選択される、請求項１０３に記載の方法。
【請求項１１０】
前記統合チャンネルガイド情報リストは、番号順に従って、順序付けられている、請求項１０３に記載の方法。
【請求項１１１】
前記統合チャンネルガイド情報リストは、ユーザ定義の順序方式に従って、順序付けられている、請求項１０３に記載の方法。
【請求項１１２】
前記テレビジョンシステムに提供される前記統合チャンネルガイド情報リストは、前記複数の番組リストのそれぞれに対するソース識別を含む、請求項１０３に記載の方法。
【請求項１１３】
前記生成するステップは、テレビジョン表示スクリーン、コンピュータモニタ、およびプリント媒体のうちの１つに前記統合チャンネルガイド情報リストの前記少なくとも一部分を表示するステップを包含する、請求項１０３に記載の方法。
【請求項１１４】
少なくとも２つの情報ソースから個々のチャンネルガイド情報リストを受信する受信機と、
該受信機に結合されたマイクロプロセッサであって、該マイクロプロセッサは、該個々のチャンネルガイド情報リストを統合チャンネルガイド情報リストにマージする、マイクロプロセッサと、
信号プロバイダであって、該信号プロバイダは、テレビジョンシステムに該統合チャンネルガイド情報リストを提供し、該テレビジョンシステムに提供された該統合チャンネルガイド情報リストは、少なくとも２つの信号提供ソースに対する複数の番組リストを含む信号プロバイダと、
該テレビジョンシステムに結合された表示生成器であって、該統合チャンネルガイド情報リストの少なくとも一部分の表示を生成する、表示生成器と
を備えた、情報統合システム。
【請求項１１５】
前記表示生成器は、テレビジョン表示スクリーン、コンピュータモニタ、およびプリントデバイスからなるグループから選択される、請求項１１４に記載の情報統合システム。
【請求項１１６】
前記少なくとも１つのテレビジョン信号ソースは、前記少なくとも２つの信号提供ソースのうちの１つである、請求項１１５に記載の情報統合システム。
【請求項１１７】
前記信号プロバイダは、前記マイクロプロセッサに結合されたトランスミッタであって、少なくとも１つのテレビジョン信号ソースを介して前記統合チャンネルガイド情報リストを伝送するトランスミッタを含む、請求項１１４に記載の情報統合システム。
【請求項１１８】
前記少なくとも２つの情報ソースは、ケーブル、放送ソース、直接放送衛星システム、電話回線、およびキーボードからなるグループから選択される、請求項１１４に記載の情報統合システム。
【請求項１１９】
前記少なくとも１つのテレビジョン信号ソースは、ケーブル、放送ソース、直接放送衛星システムからなるグループから選択される、請求項１１４に記載の情報統合システム。
【請求項１２０】
前記統合チャンネルガイド情報リストは、番号順に従って、順序付けられている、請求項１１４に記載の情報統合システム。
【請求項１２１】
前記統合チャンネルガイド情報リストは、ユーザ定義の順序方式に従って、順序付けられている、請求項１１４に記載の情報統合システム。
【請求項１２２】
前記信号プロバイダは、前記伝送された統合チャンネルガイド情報リストを中継する衛星をさらに含む、請求項１１４に記載の情報統合システム。
【請求項１２３】
前記テレビジョンシステムに提供される前記統合チャンネルガイド情報リストは、前記複数の番組リストのそれぞれに対するソース識別を含む、請求項１１４に記載の情報統合システム。